(57)【特許請求の範囲】
【請求項１】
大面積塗布部と小面積塗布部を一体収納してなる油性日焼け止め塗布具であって、前記大面積塗布部は液状の油性日焼け止め剤を収容する容器を含み、前記小面積塗布部は半分固形スティック状の油性日焼け止め剤を含むことを特徴とする油性日焼け止め塗布具。
【請求項２】
前記容器と前記スティック状の油性日焼け止め剤を連結する連結部を有することを特徴とする請求項１記載の油性日焼け止め塗布具。
【請求項３】
前記連結部に紫外線測定部を設けたことを特徴とする請求項２記載の油性日焼け止め塗布具。
【請求項４】
前記連結部は、前記容器の蓋であることを特徴とする請求項２または３記載の油性日焼け止め塗布具。
【請求項５】
前記連結部は、前記スティック状の油性日焼け止め剤の収納部であることを特徴とする請求項２から４のいずれかに記載の油性日焼け止め塗布具。
【請求項６】
大面積塗布部と小面積塗布部を一体収納してなる油性日焼け止め塗布具であって、前記大面積塗布部は液状の油性日焼け止め剤を収容する容器を含み、前記小面積塗布部は前記容器に着脱可能な油性日焼け止め剤の流出制御部を有するとともに、  前記流出制御部を有する第１部分と前記流出制御部を覆う第２部分を有し、前記第１部分と前記第２部分を一体化させて前記容器から除去することで前記容器を大面積塗布部とするとともに、前記第１部分と前記容器とを一体化させて前記第２部分を除去することで前記流出制御部を小面積塗布部とすることを特徴とする油性日焼け止め塗布具。
【請求項７】
液状の油性日焼け止め剤を収容する容器と、前記容器の蓋と、前記蓋に設けられた紫外線測定部とを有し、前記容器と前記蓋との着脱に応じ前記紫外線測定部を制御することを特徴とする日焼け止め塗布具。
【請求項８】
液状の油性日焼け止め剤を収容する容器と、前記容器の蓋と、前記蓋に設けられた紫外線測定部とを有し、前記蓋の操作に応じ前記紫外線測定部を制御することを特徴とする日焼け止め塗布具。
【請求項９】
前記容器と前記蓋との着脱に応じ前記紫外線測定部を制御することを特徴とする請求項８記載の日焼け止め塗布具。
【請求項１０】
液状の油性日焼け止め剤を収容する容器と、前記容器の蓋と、前記蓋に設けられた紫外線測定部とを有し、前記蓋に着脱可能な付属品を有し、前記蓋と前記付属品との着脱に応じ前記紫外線測定部を制御することを特徴とする日焼け止め塗布具。
【請求項１１】
前記容器と前記蓋との着脱に応じ前記紫外線測定部を制御することを特徴とする請求項１０記載の日焼け止め塗布具。
【請求項１２】
前記蓋の操作に応じ前記紫外線測定部を制御することを特徴とする請求項１０または１１記載の日焼け止め塗布具。
【請求項１３】
前記付属品は、小面積塗布部であることを特徴とする請求項１０から１２のいずれかに記載の日焼け止め塗布具。
【発明の詳細な説明】
【技術分野】
【０００１】
本発明は、日焼け止め塗布具に関する。
【背景技術】
【０００２】
日焼け止めのケアに関しては、その原因となる紫外線の計測および対策としての日焼け止めの塗布に関して種々の提案が行われている。例えば、歩数計に紫外線計測機能および警報機能を付加して屋外において運動する者を紫外線の被害から守ることができるようにした多機能型歩数計が提案されている。（特許文献１）また、紫外線の計測に関しては、紫外線センサを備えた時刻を表示する表示部を含む腕時計が提案されている。（特許文献２）
【０００３】
一方、日焼け止め等の塗布に関しては、容器内の日焼け止めなどの有効成分を含む半固形皮膚軟化組成物を提供し、この半固形皮膚軟化組成物をいずれの指先にも接触させることなく選択された領域に塗布することが提案されている。（特許文献３）
【０００４】
しかしながら、日焼け止め塗布に関してはさらに種々検討すべき課題が残されている。
【先行技術文献】
【特許文献】
【０００５】
【特許文献１】特開２００２−７１３８０号公報
【特許文献２】特開２００６−７１５８２号公報
【特許文献３】特表２００４−５０１８６８号公報
【発明の概要】
【発明が解決しようとする課題】
【０００６】
本発明の課題は、上記に鑑み、取り扱いのしやすい日焼け止め塗布具を提供することにある。
【課題を解決するための手段】
【０００７】
上記課題を達成するため、本発明は、大面積塗布部と小面積塗布部を一体収納してなる油性日焼け止め塗布具を提供する。油性日焼け止めは日焼け止め効果が大きい反面、塗布のために伸ばしたあとの手の平に残存し、手の平がべたついて不快な上、その手で髪を触るとギシギシ、パサパサの状態となるととともに、紺や黒の衣服を触ると白く汚れてしまう。また、皮製のハンドバッグ等を持つと持ち手の部分がベタベタ、ネトネトの状態となる。かといって手を洗うと、手の平側だけでなく、せっかく手の甲側に塗布した日焼け止めも落ちてしまう。手は紫外線に曝される率が高いとともによく使うため、日焼け止めが落ちやすくこまめに塗り直すことが望まれるが、そのために手の平側が汚れては上記のような不都合があるため、塗り直しが容易でない。ここにおいて、上記、大面積塗布部と小面積塗布部を一体収納してなる油性日焼け止め塗布具は、手の平や指の指紋側を汚さずに手の指の甲側等の細部に油性日焼け止めを塗布できるとともに、手の甲等の比較的大面積の部分には手の甲同士のすり合わせ等により速やかに塗布することを可能にする。
【０００８】
本発明の具体的な特徴によれば、大面積塗布部は液状の油性日焼け止め剤を収容する容器を含み、小面積塗布部は半分固形スティック状の油性日焼け止め剤を含む。これにより、手の平や指の指紋側を汚さずに半分固形スティック状の油性日焼け止め剤にて細部の塗布が可能となるとともに、半分固形スティック状の油性日焼け止め剤では塗布に手間取る手の甲等の比較的大面積の部分には液状の油性日焼け止め剤にて速やかに塗布することが可能となる。
【０００９】
本発明のより具体的な特徴によれば、油性日焼け止め塗布具は容器とスティック状の油性日焼け止め剤を連結する連結部を有する。これにより、両者を一体的に取り扱うことができ、適宜必要な方の使用が可能となる。さらに具体的な特徴によれば、連結部には、紫外線測定部が設けられ、日焼けの原因と対策を連携させることができる。
【００１０】
本発明の他のより具体的な特徴によれば、連結部は、容器の蓋である。これによって容器に通常設けられる蓋を利用して液状の油性日焼け止め剤と半分固形スティック状の油性日焼け止め剤を連結することができる。  本発明のさらに他のより具体的な特徴によれば、連結部は、スティック状の油性日焼け止め剤の収納部である。これによって、スティック状の油性日焼け止め剤をコンパクトに連結収納することができる。
【００１１】
本発明の他の具体的な特徴によれば、油性日焼け止め塗布具の大面積塗布部は液状の油性日焼け止め剤を収容する容器を含み、小面積塗布部は液状の油性日焼け止め剤の細部塗布部である。これによって、液状の油性日焼け止め剤を用いて大面積部および小面積部への塗布が可能となる。より具体的な特徴によれば、容器の蓋に細部塗布部が収納される。また、収納部を利用して細部塗布部への油性日焼け止め剤供給構造を設けることも可能である。さらに具体的な特徴によれば、この蓋には紫外線測定部が設けられる。
【００１２】
本発明のさらに他の具体的な特徴によれば、油性日焼け止め塗布具の大面積塗布部は液状の油性日焼け止め剤を収容する容器を含み、小面積塗布部は容器に着脱可能な油性日焼け止め剤の流出制御部を有する。これによって、液状の油性日焼け止め剤の流出制御と小面積部への容易な塗布が可能となる。より具体的な特徴によれば、油性日焼け止め塗布具は、流出制御部を有する第１部分とこの流出制御部を覆う第２部分を有し、第１部分と第２部分を一体化させて前記容器から除去することで容器を大面積塗布部とするとともに、第１部分と容器とを一体化させて第２部分を除去することで流出制御部を小面積塗布部とする。
【００１３】
本発明の他の特徴によれば、液状の油性日焼け止め剤を収容する容器と、容器の蓋と、この蓋に設けられた紫外線測定部とを有する日焼け止め塗布具が提供される。これによって、日焼けの原因と対策を連携させることができる。また、蓋側に紫外線測定部が設けられるので、蓋と容器が一体である場合も、蓋が取り外された場合も、紫外線測定の際に不用意に液状の日焼け止め剤が零れることがない。さらに、蓋側に紫外線測定部が設けられるので、容器の油性日焼け止め剤が消耗した際も容器側を交換することで、紫外線測定部を継続使用することができる。また、容器側は、通常の日焼け止め製品であればよく、蓋を交換するだけで、紫外線測定機能つきの日焼け止め塗布具とすることができる。この場合、必要に応じ、容器の口の径を補正する補助環を設けることもできる。
【００１４】
上記本発明の具体的な特徴によれば、容器と蓋との着脱に応じ紫外線測定部が制御される。他の具体的な特徴によれば、蓋の操作に応じ紫外線測定部が制御される。さらに他の具体的な特徴によれば、蓋は着脱可能な付属品を有し、蓋と付属品との着脱に応じ紫外線測定部が制御される。より具体的には、この付属品は小面積塗布部である。これらの特徴により、特に紫外線測定のための操作部を設けなくても、紫外線塗布具の自然な使用を通じ、日焼けの原因と対策を連携させることができる。
【発明の効果】
【００１５】
上記のように、本発明によれば、手の平を汚さずかつ速やかに指を含む手の甲側に日焼け止めを塗布できる日焼け止め塗布具が提供される。また日焼けの原因と対策を簡単に連携させることも可能である。
【図面の簡単な説明】
【００１６】
【図１】本発明の日焼け止め塗布具の実施例１を示す斜視図である。（実施例１）
【図２】実施例1の内部構成を示すブロック図である。
【図３】実施例１における制御部の機能を示すフローチャートである。
【図４】本発明の日焼け止め塗布具の実施例２を示す斜視図である。（実施例２）
【図５】実施例２の日焼け止め塗布具における種々の状態を示す概念断面図である。
【図６】実施例２の内部構成を示すブロック図である。
【図７】実施例２における制御部の機能を示すフローチャートである。
【図８】本発明の日焼け止め塗布具の実施例３を示す斜視図である。（実施例３）
【図９】実施例３の日焼け止め塗布具における種々の状態を示す断面図である。
【図１０】実施例３の内部構成を示すブロック図である。
【図１１】本発明の日焼け止め塗布具の実施例４を示すブロック図である。（実施例４）
【図１２】本発明の日焼け止め塗布具の実施例５を示すブロック図である。（実施例５）
【発明を実施するための形態】
【実施例１】
【００１７】
図１は、本発明の実施の形態に係る日焼け止め塗布具の実施例１を示す斜視図である。実施例１の日焼け止め塗布具は、液状の油性日焼け止めクリームを収容する日焼け止めクリーム容器本体（以下「容器本体」と略称する）２とこれにネジ結合する蓋４からなる日焼け止めクリーム容器をベースに構成される。これら容器本体２とその蓋４は通常の市販日焼け止めクリーム製品であって、実施例１は、蓋４と交換して容器本体２にネジ結合可能なクリーム容器蓋兼用スティック蓋（以下「兼用蓋」と略称する）６、および兼用蓋６における容器本体２と逆側にネジ結合される日焼け止めスティック容器（以下「スティック容器」と略称する）８を有する。
【００１８】
スティック容器８には、油性の半固形日焼け止めスティック１０（以下「スティック」と略称する）が収容されており、スティック操作ダイヤル１２を回転させることにより突出方向（図面下方）に繰り出される。なお、スティック１０は、新品状態で最も引っ込めて兼用蓋６にネジ結合されたとき図１のようにその先端が兼用蓋６に入り込む長さを持つ。従って、スティック容器８は新品状態のスティック１０を完全に収容する長さを有する必要がない。なお、スティック容器８には、兼用蓋６にネジ結合している状態においてスティックが兼用蓋６内に突出するのを防止するため、スティック操作ダイヤル１２の回転を規制する繰出ロック機構１４が設けられている。
【００１９】
以上のような実施例１の日焼け止め塗布具を使用して、例えば手の甲側に日焼け止めを塗布する場合、例えばまず、スティック容器８が兼用蓋６に結合している状態で兼用蓋６を容器本体２から外し、容器本体２から日焼け止めクリームを手の甲に垂らして手の甲同士をすり合わせることにより日焼け止めクリームを延ばす。ここまでは、容器本体２と蓋４からなる通常の日焼け止めクリーム製品の使用と同様である。次に指の甲側や指の間などの細部に日焼け止めを塗布する際は、容器本体を兼用蓋６で閉じるとともに、スティック容器８を兼用蓋６から外して、スティック１０により塗布を行う。スティック１０は半固形なので、リップスティックのように、スティック容器８を持って手を汚すことなく指の甲側や指の間などの細部に日焼け止めを塗布することができる。この際、スティックが磨耗すれば、スティック操作ダイヤル１２を回転させて突出量を調節する。このようにして、手の甲のように広い面積部分には容器本体からの日焼け止めクリームを迅速に延ばし塗布するとともに、細部についてはスティックを使用することにより、いずれも手の平側を汚すことなく、速やかに塗布を完了することができる。
【００２０】
兼用蓋６は、さらに紫外線（以下「ＵＶ」と称する）センサ１６を備えており、ＵＶ測定が可能である。測定は、兼用蓋６の容器本体２への着脱を検知する第１スイッチ１８、またはスティック容器８の兼用蓋６への着脱を検知する第２スイッチ２０によって行われるので、特に操作部を要しない。なお、第１スイッチ１８、第２スイッチ２０は検知スイッチであるとともに電源スイッチを兼ねており、これらのスイッチが上記のメカ的な動きを検知するとまず給電が開始され、この給電開始が検知を兼ねている。測定結果は液晶などからなる表示部２２表示される。また、測定は、スティック操作ダイヤル１２が繰出ロック機構１４により規制された範囲内で回転したことを検知する第３スイッチ２４によっても行われる。このようにして、スティック操作ダイヤル１２はＵＶ測定操作ダイヤルとしても兼用されるので、以下、「兼用ダイヤル１２と称する。また、繰出ロック機構１４は、第３スイッチにＵＶ測定操作を伝達する機構を兼用しているので以下「兼用機構１４」と称する。なお、使用者は兼用ダイヤル１２の機能を知らなくても、スティック容器８を兼用蓋６から外して回転させればスティック１０が進退し、スティック容器８が兼用蓋６にネジ結合している状態で誤って回転させたとき回転が規制されるとともにＵＶ計測結果が表示部２２に表示されるので、直ちにその意義と使用法を理解することができる。
【００２１】
兼用蓋６には、ＵＶセンサ１６の電源として電池２６が内蔵されており、消耗したときは、スティック容器８を兼用蓋６から外した状態にて交換することが可能である。また補助電源として、色素増感太陽電池２８が表示部２２に隣接するレイアウトで兼用蓋６に配置されている。
【００２２】
上記のようにＵＶセンサ６、表示部２２およびこれらの電源を含むＵＶ測定部を兼用蓋６に配置することにより、日焼け止めクリームが空になったときは容器本体２と蓋４よりなる通常の日焼け止めクリーム製品を新たに購入して兼用蓋６を取り付ければよい。また、ＵＶ測定部が兼用蓋６側に設けられているので、兼用蓋６を取り外した際にも、ＵＶ測定のために兼用蓋６をどのような姿勢にしても容器本体の日焼け止めクリームが誤ってこぼれることはない。さらにスティック容器８についても、兼用蓋６と分離可能なので、スティック１０が消耗したときは新たに購入して付け代えればよい。このようにして、兼用蓋６は、日焼け止めクリームと日焼け止めスティックとを一体化して広い面積部分と細部に手の平側を汚すことなく日焼け止めの塗布を行うことを可能にするとともに、クリームとスティックのそれぞれの消耗の際、独立してこれらを交換することを可能にする。
【００２３】
図２は、実施例1の内部構成を示すブロック図であり、図１に対応する部分には同一の番号を付して、必要のない限り説明を省略する。液状の油性日焼け止めクリーム３０は容器本体２に収容され、兼用蓋６を取らない限り、外にこぼれることはない。ボタン電池などからなる電池２６は、電池ホルダ３２に収容され、スティック容器８を取出した状態で交換可能である。色素増感太陽電池２８は蓄電池３４に接続され電池ホルダ３２からの給電を補助して電力を制御部３６に供給する。なお、図示を省略しているが、電池ホルダ３２および蓄電池３４からの電力は、ＵＶセンサ１６や表示部２２等にも電力を供給する。制御部３６は、マイクロコンピュータ等からなり、ＵＶセンサ１６や表示部２２を含む兼用蓋６全体の機能を制御する。また、兼用蓋６のスティック先端収容部３８はスティック１０の先端部を収容するために設けられているスペースである。
【００２４】
スティック容器８のスティック繰り出し機構４０は、スティック容器８が兼用蓋６から取り外された状態において兼用ダイヤル１２が回転させられるとき、これに連動してスティック１０を繰り出す。検知ピン４２は、スティック容器８が兼用蓋６から取り外された状態で図の下方に突出し、この状態において繰り出しロック／ＵＶ測定操作伝達兼用機構４２は、兼用ダイヤル１２の回転に連動してスティック繰り出し機構がスティック１０を繰り出すのを許可する。一方、スティック容器８が兼用蓋６に取り付けられたときは検知ピンは兼用蓋６に押されて図示のように引っ込み、この状態では、繰り出しロック／ＵＶ測定操作伝達兼用機構４２は、兼用ダイヤル１２の回転に連動するスティック繰り出し機構の動きを規制してスティック１０の繰り出しを禁止する。一方、この状態においても兼用ダイヤルはわずかの回転が可能でこの回転は検知ピンを水平方向にわずかにスライドさせる。第３スイッチはこの検知ピンのスライドを検知し、制御部３６にＵＶ測定信号として伝達される。ＵＶ測定などに関する制御部３６の機能は後述する。
【００２５】
図３は、上記本発明の実施例１における図１の制御部３６の機能を示すフローチャートである。フローは容器本体２からの兼用蓋６の取り外し、または兼用蓋６からのスティック容器８の取出し、または、スティック容器８が兼用蓋６に取り付けられている状態における兼用ダイヤル１２の操作によるメカ操作によって給電が開始されることによりスタートする。なお、フローがスタートするとフローが終了するまで給電状態は自己保持される。フローがスタートすると、ステップＳ２で兼用ダイヤルが操作中であるかどうかどうかチェックする。スティック容器８が兼用蓋６に取り付けられているとき兼用ダイヤル１２の動きは規制されており、操作がないとバネによりニュートラル位置にあるが操作力が加えられている間のみわずかに回転変位し、この変位状態が第３スイッチにより検知される。
【００２６】
ステップＳ２で兼用ダイヤル１２の操作による回転変位が検知中であったときは、ステップＳ４に進み、ＵＶ測定および表示を開始する。これは、図３のフローが兼用ダイヤル１２の操作により開始された場合であることを意味する。なお、既にＵＶ測定が開始された状態でステップＳ４に至ったときはＵＶ測定と表示を継続する。そしてステップＳ２に戻り、ダイヤル操作が検知中かどうかチェックする。以下、ダイヤル操作が検知中である限り、ステップＳ２およびステップＳ４を繰り返す。一方、操作停止により兼用ダイヤルがニュートラル位置に戻ることによりステップＳ２でダイヤル操作が検知されなくなるとステップＳ６に移行し、ＵＶ測定および表示を停止してステップＳ８に移行する。兼用ダイヤル操作によるＵＶ測定は意図的に行われる可能性が高いので、操作終了に伴い直ちに測定を終了するのが適切であるからである。また、ステップＳ２で最初からダイヤル操作が検知されない時は、直ちにステップＳ６に移行するが、このときは元々ＵＶ測定が開始されていないからステップＳ６では何もせずステップＳ８に移行する。
【００２７】
ステップＳ８では、スティック容器８を兼用蓋６から取出したことを検知して図３のフローがスタートした場合であるかどうかチェックする。該当すればステップＳ１０に移行し、ＵＶ測定および表示を開始してステップＳ１２に移行する。ステップＳ１２では、ＵＶ測定を開始してから所定時間（例えば１０秒）経過したかどうかチェックする。そして経過がなければステップＳ１４に移行し、スティック容器８が兼用蓋６に戻されたかどうかチェックする。検知がなければステップＳ１２に戻り、以下、所定時間が経過するかスティック容器戻しが検知されない限りステップＳ１２とステップＳ１４を繰返し、ＵＶ測定と表示を継続する。一方、ステップＳ１２でＵＶ測定開始から所定時間の経過が検知されたとき、またはステップＳ１４でスティック容器８が兼用蓋６に戻されことが検視されたときは、ステップＳ１６に移行し、ＵＶ測定および表示を終了してステップＳ１８に進む。このように、所定時間経過前でも、スティック容器が戻されたときは直ちにＵＶ測定および表示を終了する。この場合は、日焼け止め塗布具の終了が予想されるからである。
【００２８】
ステップＳ１８では、スティック容器８が兼用蓋６にも戻されたかどうか検知する。なお、ステップＳ１８での検知は、ステップＳ１４での検知の場合とは異なり、ステップＳ１２での所定時間経過検知に基づきステップＳ１６において一旦ＵＶ測定および表示が終了した後での検知である。この場合は、比較的時間をかけてスティック１０による日焼け止め塗布を行ったあとでのスティック容器戻しであると考えられるので、ステップＳ２０に進み、ＵＶ測定および表示を再開してステップＳ２２に移行する。ステップＳ２２では、ステップＳ１２と同様にしてＵＶ測定を開始してから所定時間経過したかどうかチェックする。ステップＳ２２で所定時間の経過を待ち、経過が検知されるとステップＳ２４に移行してＵＶ測定および表示を終了し、ステップＳ２６に進む。一方、ステップＳ８で兼用蓋６からのスティック容器８取出し検知によるフロースタートに該当しないと判断されたときは、直接ステップＳ２６に移行する。
【００２９】
ステップＳ２６では、フローは容器本体２からの兼用蓋６の取り外しを検知して図３のフローがスタートした場合であるかどうかチェックする。該当すればステップＳ２８のＵＶ測定・表示開始／終了処理に移行する。ステップＳ２８の処理は、ステップＳ１０からステップＳ２４と同様の処理であり、これらのステップにおける「スティック容器」を「兼用蓋」と読み替えることにより理解できるので図３での図示を簡略化するとともに、説明を省略する。そして、ステップＳ２８の処理が終了するとフローを終了する。また、ステップＳ２６で容器本体２からの兼用蓋６の取り外し検知によるフロースタートに該当しないと判断された場合は直ちにフローを終了する。図３のフローの終了により、電源オンの自己保持状態は解除され、電源はオフとなる。従って、第１〜３スイッチのメカ的操作によって電源がオンとなるまでＵＶ測定部による電力消費はない。
【実施例２】
【００３０】
図４は、本発明の実施の形態に係る日焼け止め塗布具の実施例２を示す斜視図であり、実施例１と共通の構成については同一の番号を付して説明を省略する。また実施例１と類似する構成については、百番台の番号を付すとともにその十の位および一の位に共通番号を付して、必要のない限り説明を省略する。実施例２の日焼け止め塗布具も、液状の油性日焼け止めクリームを収容する容器本体２とこれにネジ結合する蓋４からなる通常の市販日焼け止めクリーム製品をベースに構成される。実施例２は、蓋４と交換して容器本体２にネジ結合可能なＵＶ測定部搭載容器蓋（以下「容器蓋」と略称する）１０６、および容器蓋１０６における容器本体２と逆側にネジ結合される日焼け止め塗布筆（以下「塗布筆」と略称する）１０８を有する。
【００３１】
塗布筆１０８は、液状の日焼け止めクリームを含ませて塗布するための植毛１０１を有し、塗布筆１０８が容器蓋１０６に結合されているときは、図示のように植毛１０１が容器蓋１０６に収容されている。容器蓋１０６は、導通口１０３およびその容器側を開閉する内蓋１０５を有する。内蓋１０５は導通口１０３に沿ってスライドすることで開閉する。内蓋１０５を開閉するには、塗布筆１０８に設けられた内蓋開閉操作ダイヤル１１２を回転させる。内蓋開閉操作ダイヤル１１２の回転は、操作伝達部１０７および１０９を介して容器蓋１０６内の内蓋開閉機構に伝達され、内蓋１０５を開閉させる。内蓋開閉操作ダイヤル１１２には回転位置を示す指標１１１が設けられており、これを塗布筆１０８の開閉マーク１１３に合わせて回転させることにより開閉位置が決まる。なお、植毛１０１は、図示のように、内蓋１０５が閉じられた状態において導通口１０３と内蓋１０５の形成する空間内に収容されている。
【００３２】
容器蓋１０６には、導通口１０３の周囲に環状のクリーム溜１１５が設けられており、図４の状態で、日焼け止め塗布具全体を上下に振ることにより、容器本体２内の油性日焼け止めクリームが導通口１０３を通って植毛１０１に付着し、さらに植毛１０１と導通口１０３の隙間を通ってクリーム溜１１５に溜まる。なお、上記の日焼け止め塗布具全体を上下に振る動作は、油性日焼け止めクリームにおいて通常行われる動作である。塗布筆１０８は、実施例１におけるスティック１０と同様にして、細部への塗布に使用されるものであるが、上記のようにして植毛１０１に油性日焼け止めクリームを付着させた状態にて塗布筆１０８を容器蓋１０６から取り出して塗布する。塗布に伴って、植毛１０１への油性日焼け止めクリーム付着量が減少したときは、クリーム溜１１５に植毛１０１を浸して補充する。以上の使用法等の詳細は後述する。
【００３３】
なお、クリーム溜１１５に溜まった油性日焼け止めクリームが導通口１０３の下部から不用意に零れるのを防止するため、内蓋開閉操作ダイヤル１１２の指標１１１が開閉マーク１１３の「開」に合わせられ内蓋１０５が開いている状態では、容器蓋１０６にロックがかかり、これを回転させて容器本体２から外せないよう構成されている。つまり、容器蓋１０６は、内蓋１０５が閉じられた状態に限り、容器本体２から外すことが可能である。また、容器蓋１０６が容器本体２から外されている状態では、内蓋にロックがかかり、内蓋開閉操作ダイヤル１１２を回転させて指標１１１を開閉マーク１１３の「開」に合わせることができないようになっており、この状態では、内蓋１０５を開くことができない。なお、容器蓋１０６には、実施例１と同様のＶＵ測定部が設けられているが、煩雑さを避けるため、図示を省略している。
【００３４】
図５は実施例２の日焼け止め塗布具における種々の状態を示す概念断面図であり、煩雑をさけるため、内蓋開閉操作ダイヤルの図示を省略している。また、図４に対応する部分には同一番号を付して必要のない限り説明を省略する。さらに、番号は主に図５（Ａ）に付し、図５（Ｂ）以下は煩雑を避けるため必要のない限り同じ部分への番号の図示を省略する。
【００３５】
図５（Ａ）は、使用前の日焼け止め塗布具の状態であり、容器本体２に油性日焼け止めクリーム３０が溜まっている。図５（Ｂ）は、容器蓋１０６を塗布筆１０８と一体的に通常の蓋と同様に容器本体２から取り外した状態である。これによって通常の日焼け止めクリームと同様、矢印１１７に示すように日焼け止めクリームを滴下することができる。図５（Ｃ）は、図５（Ａ）の状態にて内蓋１０５を開き、矢印１１９に示すように日焼け止め塗布具全体を上下に振っている状態を示す。
これによって容器本体２内の油性日焼け止めクリームが液滴１２１に示すように容器本体２内を上下し、その一部１２３が導通口１０３を通って植毛１０１に付着するとともに、他の一部１２５は、植毛１０１と導通口１０３の隙間を抜けてクリーム溜１１５の上部にて上下動する。
【００３６】
図５（Ｄ）は、図５（Ｃ）の状態から日焼け止め塗布具を振るのをやめ、内蓋１０５を閉じた状態を示しており、油性日焼け止めクリームの一部１２３が植毛１０１に付着するとともに、他の一部１２５がクリーム溜１１５に溜まっている。図５（Ｅ）は、図５（Ｄ）の状態から塗布筆１０８を外して細部への塗布を行う状態を示している。図５（Ｆ）は、塗布に伴って植毛１０１への油性日焼け止めクリーム付着量が減少したとき、クリーム溜１１５に溜まっている日焼け止めクリームの一部１２５に植毛１０１を浸して補充する状態を示す。なお、図５（Ｆ）では、容器蓋１０６を容器本体２から外して植毛１０１を日焼け止めクリームに浸しているが、図５（Ｅ）の状態で植毛１０１をクリーム溜１１５に浸し、日焼け止めクリームの補充を行ってもよい。
【００３７】
なお、実施例２におけるＵＶ測定については、実施例１と同様、特に操作スイッチなどの操作なしに測定の開始終了を行う。つまり、実施例１と同様にして、塗布筆１０８の容器蓋１０６への着脱、容器蓋１０６の容器本体２への着脱、内蓋開閉操作ダイヤル１１２の操作に連動して測定の開始および終了を行う。この意味で、内蓋開閉操作ダイヤル１１２は実施例１と同様、ＵＶ測定操作を兼用する兼用ダイヤルとなっているので、以下実施例２においても「兼用ダイヤル」と略称する。但し、実施例２の場合、内蓋１０５の開閉の規制の有無にかかわらず、その操作に伴ってＵＶ測定の開始および終了が行われる。また、図５（Ｆ）のように容器本体２から容器蓋１０６が外され、さらに塗布筆１０８も外した自由状態では、測定や表示の確認のために容器蓋１０６の姿勢が過度に傾いたときにクリーム溜１１５に溜まっている日焼け止めクリームの一部１２５が容器蓋１０６の上部から零れる可能性があるので、測定と表示は中止される。実施例２におけるＵＶ測定の開始と終了の詳細について後述する。
【００３８】
図６は、実施例２の内部構成を示すブロック図であり、図４に対応する部分には同一の番号を付して、必要のない限り説明を省略する。また図２における実施例１と類似する構成については、図４と同様、百番台の番号を付すとともにその十の位および一の位に共通番号を付して、必要のない限り説明を省略する。上記のように実施例２も実施例１と同様のＵＶ測定部を有する。従って図６では、図２のＵＶセンサ１６、表示部２２、電池ホルダ３２と電池２６、および色素増感態様電池２８と蓄電池３４をまとめてＵＶ測定部１２７として図示している。なお、説明の都合上、特に制御部１３６をＵＶ測定部内に図示している。また、実施例２では、第３スイッチ１２４は、操作伝達部１０９のメカ的な動きを検知して制御部１３６に通知している。
【００３９】
容器蓋１０６の内蓋開閉機構１２９は、操作伝達部の動きに基づいて内蓋１０５の開閉を行うとともに、後述のように内蓋１０５が開かないよう規制がかかったときは操作伝達部１０９および１０７を介して兼用ダイヤル１１２の動きを規制する。また、ロック機構１３１は、内蓋１０５の開閉状態をメカ的に検知し、内蓋１０５が開いている場合には容器蓋１０６と容器本体２との間の相対回転にロックをかけ、容器本体２から容器蓋１０６が取り外せないようにする。また、ロック機構１３１は容器蓋１０６と容器本体２の着脱状態をメカ的に検知し、容器蓋１０６が容器本体２から外されている状態では、内蓋にロックをかけ、このロック状態を内蓋開閉機構１２９、および操作伝達部１０９と１０７経由で兼用ダイヤル１１２に伝達して、内蓋開閉操作ダイヤル１１２を回転させて指標１１１を開閉マーク１１３の「開」に合わせることができないようにする。
【００４０】
図７は、上記本発明の実施例２における図６の制御部１３６の機能を示すフローチャートである。実施例１と同様、フローは容器本体２からの容器蓋１０６の取り外し、または容器蓋１０６からの塗布筆１０８の取出し、または、塗布筆１０８が容器蓋１０６に取り付けられている状態における兼用ダイヤル１１２の操作によるメカ操作によって給電が開始されることによりスタートする。フローがスタートするとフローが終了するまで給電状態は自己保持される点も、実施例１と同様である。フローがスタートすると、ステップ３２で、兼用ダイヤル１１２の操作の有無が検知される。検知があればステップＳ３４に移行してＵＶ測定および表示を開始してステップＳ３６に移行する。
【００４１】
ステップＳ３６では、ＵＶ測定開始から所定時間が経過したかどうかチェックし、経過がなければステップＳ３８に進んで、兼用ダイヤル１１２が再度操作されたかどうかチェックする。再操作の検知がなければステップＳ４０に移行し、塗布筆１０８を取り出す操作の有無を検知する。検知があればステップＳ４２に進んで容器蓋１０６が外されている状態にあるかどうかチェックする。そして容器蓋が外されていればステップＳ４４に進んでＵＶ測定および表示を終了し、ステップＳ４６に移行する。一方、ステップＳ４０で塗布筆の取り出し操作が検知されないかまたはステップＳ４２で容器蓋が取り外し状態でなければステップＳ３６に戻り、以下状態が変わらない限りステップＳ３６からステップＳ４２を繰り返して測定と表示を継続する。一方、ステップＳ３６で所定時間の経過が検知されるか、またはステップＳ３８で兼用ダイヤルの再操作が検知されると直ちにステップＳ４４に移行してＵＶ測定と表示を終了し、ステップＳ４６に移行する。さらに、ステップＳ３２で兼用ダイヤル操作の検知によりフローがスタートしたのでないと判断されたときは直ちにステップＳ４６に移行する。
【００４２】
ステップ４６では、容器蓋の取り外し操作によりフローがスターしたかどうかがチェックされる。そして該当すれば、ステップＳ４８に移行してＵＶ測定および表示を開始する。次いで、ステップＳ５０では、ＵＶ測定開始から所定時間が経過したかどうかチェックし、経過がなければステップＳ５２に進んで、容器蓋の閉じ操作の有無をチェックする。閉じ操作の検知がなければステップＳ５４に移行し、塗布筆１０８を取り出す操作の有無を検知する。検知があればステップＳ５６に進んでＵＶ測定および表示を終了し、ステップＳ５８に移行する。一方、ステップＳ５４で塗布筆の取り出し操作が検知されないときはステップＳ５０に戻り、以下状態が変わらない限りステップＳ５０からステップＳ５４を繰り返して測定と表示を継続する。一方、ステップＳ５０で所定時間の経過が検知されるか、またはステップＳ５２で容器蓋の閉じ操作が検知されると直ちにステップＳ５６に移行してＵＶ測定と表示を終了し、ステップＳ５８に移行する。さらに、ステップＳ４６で容器蓋外し操作によりフローがスタートしたのでないと判断されたときは直ちにステップＳ５８に移行する。
【００４３】
ステップＳ５８では、塗布筆戻し操作によりフローがスタートしたか否かを検知する。このようなことが起こるのは、塗布筆が取り出されてから所定時間が経過し、既にＵＶ測定が終了している場合である。ステップＳ５８で塗布筆戻しが検知されるとステップＳ６０に移行し、ＵＶ測定と表示を開始してステップＳ５０に戻る。以下、塗布筆が戻されていることを前提にステップＳ５０以下のステップが実行され、所定時間の経過、容器蓋の閉じ操作、塗布筆の取り出し総裁などに対応する。一方、ステップＳ５８で塗布筆の取り出し操作が検知されないときはフローを終了する。図３の実施例１のフローと同様にして、図７においてもフローの終了により電源オンの自己保持状態は解除され、電源はオフとなる。
【００４４】
なお、上記実施例２においては、日焼け止めクリームの細部塗布に塗布筆を採用しているが、液状の日焼け止めクリームを利用して細部塗布を行う構成はこれに限るものではない。例えば、容器蓋１０６の上部に結合する構成として塗布筆に代えて塗布ローラや塗布スポンジ等を採用する構成も可能である。この場合、例えば図６において、植毛１０１に変えてスポンジローラを配置するようにする。この場合も、図５に示したような使用法が可能である。
【実施例３】
【００４５】
図８は、本発明の実施の形態に係る日焼け止め塗布具の実施例３を示す斜視図であり、実施例１または実施例２と共通の構成については同一の番号を付して説明を省略する。また実施例１または実施例２と類似する構成については、二百番台の番号を付すとともにその十の位および一の位に共通番号を付して、必要のない限り説明を省略する。実施例３の日焼け止め塗布具も、液状の油性日焼け止めクリームを収容する容器本体２０２とこれにネジ結合する蓋２０４からなる通常の市販日焼け止めクリーム製品をベースに構成される。なお、実施例３における容器本体２０２は油性の日焼け止めクリームの滴下を容易にするための円錐台状のノズル部２３３を有する。これに対応して蓋２０４も円錐台状の凹部２３５を有し、この凹部２３５でノズル部２３３を覆うことにより容器本体２を閉じる構成である。
【００４６】
実施例３においても、上記のような蓋２０４と交換して容器本体２０２にネジ結合可能なＵＶ測定部搭載容器下蓋（以下「下蓋」と略称する）２０６、および下蓋２０６における容器本体２０２と逆側にネジ結合される上蓋２０８を有する。なお、図８においては簡単のため、ネジ結合状態の図示は諸略している。実施例３においては、下蓋２０６の円錐台状凹部は上下が貫通しており、その上端に日焼け止めクリームの通過を制御するとともに細部の塗布に適したメッシュ部２３７を有する。市販製品の構造における蓋２０４をこのように下蓋２０６と上蓋２０８に分割することにより、本発明の実施例３では、下蓋２０６と上蓋２０８を一体的に容器本体２０２から取り外したときは、市販製品の蓋２０４と同様にして容器本体２０２の日焼け止めクリームを滴下することができる。一方、下蓋２０６を容器本体２０２と結合した状態で残し、上蓋２０８のみを取り外した場合は、容器本体２０２におけるノズル２３３の先端がメッシュ部２３７で覆われた状態となるので、細部の塗布が容易となる。
【００４７】
なお、実施例３におけるＵＶ測定についても、実施例１および実施例２と同様、特に操作スイッチなどの操作なしに測定の開始終了を行う。つまり、実施例１または実施例２と同様にして、上蓋２０８の下蓋２０６への着脱、下蓋２０６の容器本体２０２への着脱に基づいてＵＶ測定の開始および終了が行われる。その制御の詳細は、実施例１における図３のステップＳ８からステップＳ２８を流用することができる。但し、「スティック容器」を「上蓋」と読み替え、「兼用蓋」を「下蓋」と読み替えるものとする。
【００４８】
図９は実施例３の日焼け止め塗布具における種々の状態を示す断面図である。また、図８に対応する部分には同一番号を付して必要のない限り説明を省略する。さらに、番号は主に図９（Ａ）に付し、図９（Ｂ）および図９（Ｃ）では煩雑を避けるため同じ部分への番号の図示を適宜省略する。
【００４９】
図９（Ａ）は、使用前の日焼け止め塗布具の状態であり、容器本体２０２に油性日焼け止めクリーム３０が溜まっている。図９（Ｂ）は、下蓋２０６を上蓋２０８と一体的に通常の蓋と同様に容器本体２０２から取り外した状態である。これによって通常の日焼け止めクリームと同様、日焼け止めクリーム３０を滴下することができる。図９（Ｃ）は、下蓋２０６を容器本体２０２と結合した状態で残し、上蓋２０８のみを取り外したものであり、容器本体２０２におけるノズル２３３の先端がメッシュ部２３７で覆われた状態となる。従って、日焼け止めクリーム３０の出方をメッシュ部２３７でコントロールできるとともに、メッシュ部２３７を塗布スポンジとして利用できるので細部への塗布が容易となる。
【００５０】
図１０は、実施例３の内部構成を示すブロック図であり、図８または図９に対応する部分には同一の番号を付して、必要のない限り説明を省略する。また図２における実施例１または図６における実施例２と類似する構成については、図８と同様、二百番台の番号を付すとともにその十の位および一の位に共通番号を付して、必要のない限り説明を省略する。上記のように実施例３も実施例１および実施例２と同様のＵＶ測定部を有する。図１０でも、図６の実施例２と同様、図２のＵＶセンサ１、表示部２２、電池ホルダ３２と電池２６、および色素増感態様電池２８と蓄電池３４をまとめてＵＶ測定部２２７として図示している。なお、実施例１０では、第３スイッチがない。図１０に示すように実施例３はメッシュ部２３７の交換機構を有しており、交換ネジ環状部２３９を取りはずすことにより図１０のように断面を台形形状としたメッシュ部２３７を交換することができる。
【実施例４】
【００５１】
図１１は、本発明の実施の形態に係る日焼け止め塗布具の実施例４を示すブロック図である。実施例４は実施例２を簡略化したものであるので図６と対比して異なるところのみを説明する。また両者共通するところは図６と同一番号を付し、必要のない限り説明を省略する。実施例２では、日焼け止め塗布筆１０８に直接日焼け止めクリームを供給する構造を有しているが、実施例４の日焼け止め塗布筆３０８は単なる筆であり、ＵＶ測定部搭載蓋３０６の上部にある筆収納部３４１のスペースに収納されるだけである。筆収納部３４１の下部は常に閉じていて開閉機構等はないので、実施例４では、第３スイッチ１２４もない。
【００５２】
実施例４において、日焼け止め塗布筆を使用して細部への塗布を行う場合、まず容器蓋３０６を外して例えば手の甲に日焼け止めクリームを滴下する。そして塗布筆３０８を外して手の甲に滴下した日焼け止めクリームに浸す。このようにして日焼け止めクリームを供給した塗布筆により指の甲側等の細部への塗布を行う。手の甲の大面積部分は、手の甲同士をすり合わせることにより日焼け止めクリームを延ばす。これにより、手の平側を汚さず、迅速に細部および大面積部の塗布を行うことができる。
【００５３】
なお、実施例４におけるＵＶ測定についても、実施例１から実施例３と同様、特に操作スイッチなどの操作なしに測定の開始終了を行う。その制御の詳細は、実施例３と同様にして、実施例１における図３のステップＳ８からステップＳ２８を流用することができる。但し、「スティック容器」を「塗布筆」と読み替え、「兼用蓋」を「容器蓋」と読み替えるものとする。
【実施例５】
【００５４】
図１２は、本発明の実施の形態に係る日焼け止め塗布具の実施例５を示すブロック図である。実施例５は実施例１に付加的構成を加えたものなので、付加構成のみについて説明し、他の部分は図示と説明を省略する。また、図示の共通部分には同一番号を付して説明を省略する。実施例５の付加構成は、ＵＶ測定部搭載クリーム容器蓋兼用スティック蓋４０６と容器本体の間に介在する内径が貫通した口径補正補助筒３４３である。口径補正補助筒３４３は外形が兼用蓋４０６に合致した共通のサイズであるとともに内径が容器本体の口の口径に併せた複数種類が用意されている。これによって種々の口径の容器本体２に共通の兼用蓋４０６を使用することができ、種々の容器本体に合わせた複数種の兼用蓋４０６を用意する必要がなくなる。例えば図１２に実線で示した口径補正補助筒３４３は大径の容器本体に対応する内径の太いものであり、小径の容器本体に対しては、一点鎖線３４５で示したような内径の細い口径補正補助筒が用いられる。いずれも外径は兼用蓋４０６の内径に合わせた共通のものである。
【００５５】
使用にあたっては、容器本体２の口径に合わせた口径補正補助筒を容器本体２に取り付け、あとは実施例１と同様にして口径補助筒３４３または３４５に対して兼用蓋を着脱することで、容器本体の日焼け止めクリームの滴下を行う。なお、図１２のように着脱検知は兼用蓋４０６と口径補正補助筒３４３または３４５の間で行われるので、第１スイッチ１８は、兼用蓋４０６の下端に設けられる。
【００５６】
本発明の種々の特徴の実施は上記に説明した実施例に限るものではない。例えば、実施例３の下蓋２０６の先にはメッシュ２３７を配しているが、油性日焼け止めクリームの制御と塗布が可能な他の構造、例えば回転ポール構造も採用可能である。
【産業上の利用可能性】
【００５７】
本発明は、日焼け止め塗布具に利用できる。
【符号の説明】
【００５８】
２、２０２、大面積塗布部
１０、１０１、２３７  小面積塗布部
２  容器
３０  液状の油性日焼け止め剤
１０  半固形スティック状の油性日焼け止め剤
６、４０６  連結部
１６、２２、２６、２８、３２、３４、１２７、２２７、３２７  紫外線測定部
６、４０６  蓋
１０１  細部塗布部
２３７  流出制御部
２０６  第１部分
２０８  第２部分
８、１０８、３０８  付属品
【図１】
0005368420.tif 000002
【図２】
0005368420.tif 000003
【図３】
0005368420.tif 000004
【図４】
0005368420.tif 000005
【図５】
0005368420.tif 000006
【図６】
0005368420.tif 000007
【図７】
0005368420.tif 000008
【図８】
0005368420.tif 000009
【図９】
0005368420.tif 000010
【図１０】
0005368420.tif 000011
【図１１】
0005368420.tif 000012
【図１２】
0005368420.tif 000013